(57)【要約】【課題】制御部の保守性を向上させ、保守時における電源の切断し忘れを防止する。【解決手段】患者案内表示盤の壁掛け用取付金具に引き出し自在に設置された制御部１３ａは、ケース１８の対向する側壁１８ｂ，１８ｃにケース１８に収容されたコントローラ１９を押さえるヒンジ付止め具３０ａ，３０ｂがそれぞれ設置されている。ヒンジ付止め具３０ａ，３０ｂは、可動羽根３３ａ，３３ｂを側壁１８ｂ，１８ｃに当接させると、係止片３４ａ，３４ｂがコントローラ１９の上面対角位置を押さえ、コントローラ１９をケース１８に固定させ、電源スイッチ１６を投入させる。可動羽根３３ａ，３３ｂを側壁１８ｂ，１８ｃから離れる方向に回動させると、係止片３４ａ，３４ｂは、コントローラ１９から外れてコントローラ１９の交換が可能になり、電源スイッチ１６を切断する。【選択図】図１
2019074591.tif 000002
【特許請求の範囲】
【請求項１】
表示部と前記表示部を制御するコントローラが壁掛け用取付金具に収容されていて四隅の１つを中心に前記壁掛け用取付金具の内部に固定される固定位置と前記壁掛け用取付金具から引き出される保守位置との間を回動自在に軸支された制御部とを備えた患者案内表示盤において、
前記制御部は、
前記コントローラを収容するとともに底部に対向する側が開放されたケースと、
前記底部の対向する二辺に立設された側壁の外表面にそれぞれ設けられて前記ケースに収容された前記コントローラを押さえるヒンジ付止め具と、
を有し、
前記ヒンジ付止め具は、
前記ケースの前記側壁に固着される固定羽根と、
前記側壁の立設方向に向けられた回転軸を中心に前記固定羽根に対し回動自在に設けられた可動羽根と、
前記可動羽根の前記底部とは反対側の辺より前記底部の面に平行かつ前記対向する前記側壁の方向に延伸されていて前記可動羽根が前記側壁に当接する位置では前記コントローラを係止して前記ケースからの脱落を防止する係止片と、
を有する、患者案内表示盤。
【請求項２】
前記ヒンジ付止め具は、前記係止片が前記コントローラをその対角位置で掛止するよう前記側壁に固定されている、請求項１記載の患者案内表示盤。
【請求項３】
前記係止片は、前記可動羽根と一体に形成されている、請求項１記載の患者案内表示盤。
【請求項４】
前記係止片が前記コントローラを係止しているときに導通され、前記係止片が前記コントローラを解放しているとき遮断される電源スイッチをさらに備えている、請求項１記載の患者案内表示盤。
【請求項５】
前記電源スイッチは、前記ヒンジ付止め具の前記可動羽根によって導通または遮断される、請求項４記載の患者案内表示盤。
【請求項６】
前記可動羽根は、前記側壁に当接しているとき前記電源スイッチを押圧して導通させる突起部が前記側壁を貫通して延びるように設けられている、請求項５記載の患者案内表示盤。
【請求項７】
前記ケースの前記底部に対向する開放側を覆う電磁遮蔽用の蓋部と、前記蓋部が前記ケースに固定されているとき導通され、前記蓋部が前記ケースから取り外されたとき遮断される電源スイッチとをさらに備えている、請求項１記載の患者案内表示盤。
【発明の詳細な説明】
【技術分野】
【０００１】
本発明は、制御部の保守性を考慮した患者案内表示盤に関する。
【背景技術】
【０００２】
大規模な医療機関である総合病院には、待合室などに患者案内表示盤を設置して現在の診察番号および待ち時間などを表示し、急患または災害発生などの緊急情報を表示し、さらに各種の案内などを表示するシステムが知られている（たとえば、特許文献１参照）。このような患者案内表示盤は、壁などの高い位置に設置されているため、その制御部は、壁から取り外すことなく保守が可能な構成にしてある。
【０００３】
図９は従来の患者案内表示盤の正面を示す図、図１０は患者案内表示盤の裏面を示す図、図１１は患者案内表示盤の制御部の引き出し方を示す図、図１２は制御部を引き出した状態を示す図、図１３は制御部からのコントローラの脱落可能性を示す説明図である。
【０００４】
従来の患者案内表示盤１０は、図９に示したように、正面に液晶表示部１１が配置され、裏面には、図１０に示したように、壁掛け用取付金具１２が設けられ、その壁掛け用取付金具１２の中に制御部１３が収容されている。制御部１３は、その下端側の一方の隅部が、図１１に示したように、回転軸１４によって壁掛け用取付金具１２に軸支され、制御部１３の下端側の他方の隅部は、つまみねじ１５によって壁掛け用取付金具１２に着脱自在に固定されている。
【０００５】
ここで、壁掛け用取付金具１２に収容された制御部１３に不具合が生じて保守が必要となった場合、まず、制御部１３の下面に設置された電源スイッチ１６を操作して電源を切断する。次に、つまみねじ１５を緩めて壁掛け用取付金具１２から取り外すと、制御部１３は、回転軸１４を中心に矢印１７で示した方向に回動可能になる。これにより、制御部１３は、つまみねじ１５のある側が自重によって垂れ下がり、壁掛け用取付金具１２に固定されていた固定位置から保守位置に引き出される。
【０００６】
制御部１３は、図１２に示したように、正面側が開放された箱状のケース１８を有し、そのケース１８の中にコントローラ１９が配置されている。ケース１８は、底部１８ａとその底部１８ａの対向する二辺（図１２では、底部１８ａの左右にある２つの長辺）に立設された側壁１８ｂ，１８ｃとを有している。コントローラ１９は、４本のねじ２０によってケース１８の側壁１８ｂ，１８ｃにそれぞれ固定されている。このとき、電磁遮蔽用の蓋部２１も、ねじ２０によってケース１８の側壁１８ｂ，１８ｃに一緒に固定されている。
【０００７】
このような蓋部２１によって閉じられた制御部１３の保守をする場合には、まず、ねじ２０を緩めて蓋部２１がケース１８から除かれると、制御部１３は、正面側が開放されて中にアクセスすることができるようになる。次に、手でコントローラ１９を押さえながらコントローラ１９からこれに接続されたケーブル群２２を取り外す。これにより、コントローラ１９は、ケース１８から取り出すことができるようになる。
【０００８】
その後、交換用のコントローラ１９をケース１８の中に入れ、手でコントローラ１９を押さえながらねじ２０をコントローラ１９に緩くねじ込んでコントローラ１９をケース１８に仮止めする。次に、ケーブル群２２がコントローラ１９に接続され、最後に、ケース１８に蓋部２１を被せ、ねじ２０でコントローラ１９および蓋部２１を共締めする。
【０００９】
後は、電源スイッチ１６を操作して電源を投入し、動作確認が取れたら、制御部１３を壁掛け用取付金具１２の中に戻し、つまみねじ１５を壁掛け用取付金具１２にねじ込むことによって制御部１３が壁掛け用取付金具１２に固定され、保守完了となる。
【先行技術文献】
【特許文献】
【００１０】
【特許文献１】特開平８−１８０１０２号公報
【発明の概要】
【発明が解決しようとする課題】
【００１１】
以上の構成の患者案内表示盤によれば、蓋部２１は、コントローラ１９とともにねじ２０によって共締めされているため、ねじ２０を外して蓋部２１を取り除くと、図１３に示したように、コントローラ１９は、ケーブル群２２によってぶら下げられた状態になる。この状態でケーブル群２２を取り外すと、コントローラ１９が矢印２３で示したように、ケース１８から脱落してしまうおそれがある。このため、コントローラ１９を交換するときには、コントローラ１９を手で押さえながらケーブル群２２のコネクタを挿抜し、コントローラ１９の入れ換えをしなければならないので、作業性が悪いという課題がある。
【００１２】
また、保守を行うときには、電源を切断してから行うのが基本であるが、電源を切断するのを忘れると、ケーブル群２２のコネクタを活性挿抜することになり、これによって思わぬ不具合が発生してしまうという課題がある。
【００１３】
本発明はこのような点に鑑みてなされたものであり、制御部の保守性を向上させ、さらに保守作業時の電源の切断を確実に行うことができる患者案内表示盤を提供することを目的とする。
【課題を解決するための手段】
【００１４】
本発明では、上記の課題を解決するために、表示部と表示部を制御するコントローラが壁掛け用取付金具に収容されていて四隅の１つを中心に壁掛け用取付金具の内部に固定される固定位置と壁掛け用取付金具から引き出される保守位置との間を回動自在に軸支された制御部とを備えた患者案内表示盤が提供される。この患者案内表示盤の制御部は、コントローラを収容するとともに底部に対向する側が開放されたケースと、底部の対向する二辺に立設された側壁の外表面にそれぞれ設けられてケースに収容されたコントローラを押さえるヒンジ付止め具とを有している。ヒンジ付止め具は、ケースの側壁に固着される固定羽根と、側壁の立設方向に向けられた回転軸を中心に固定羽根に対し回動自在に設けられた可動羽根と、可動羽根の底部とは反対側の辺より底部の面に平行かつ対向する側壁の方向に延伸されていて可動羽根が側壁に当接する位置ではコントローラを係止してケースからの脱落を防止する係止片とを有している。
【発明の効果】
【００１５】
上記構成の患者案内表示盤は、ヒンジ付止め具を回動させるだけで、コントローラの固定または解放が可能になり、保守性が向上する。また、電源スイッチの動作をヒンジ付止め具の回動に連動させることができるようになるので、ヒンジ付止め具をコントローラの解放位置まで回動させるだけで、電源スイッチの切断を可能にする。
【図面の簡単な説明】
【００１６】
【図１】第１の実施の形態に係る患者案内表示盤の制御部の蓋部を除いた状態を示す斜視図である。
【図２】コントローラの解放状態を示す斜視図である。
【図３】コントローラの解放状態を示す正面図である。
【図４】制御部の電源スイッチを示す部分拡大図である。
【図５】第２の実施の形態に係る患者案内表示盤の制御部の蓋部を除いた状態を示す斜視図である。
【図６】ヒンジ付止め具の動作状態を示す斜視図である。
【図７】蓋部の取り外し状態を示す制御部の斜視図である。
【図８】蓋部と電源スイッチとの関係を示す部分拡大図である。
【図９】従来の患者案内表示盤の正面を示す図である。
【図１０】患者案内表示盤の裏面を示す図である。
【図１１】患者案内表示盤の制御部の引き出し方を示す図である。
【図１２】制御部を引き出した状態を示す図である。
【図１３】制御部からのコントローラの脱落可能性を示す説明図である。
【発明を実施するための形態】
【００１７】
以下、本発明の実施の形態について、図面を参照して詳細に説明する。なお、以下では、制御部の収納および引き出しの機構は、従来の患者案内表示盤と同じであるので、制御部の構成だけを詳述し、従来の患者案内表示盤が備える基本的な要素には、図９ないし図１３で示した要素の符号と同じ符号を用いて説明する。
【００１８】
＜第１の実施の形態＞
図１は第１の実施の形態に係る患者案内表示盤の制御部の蓋部を除いた状態を示す斜視図、図２はコントローラの解放状態を示す斜視図、図３はコントローラの解放状態を示す正面図、図４は制御部の電源スイッチを示す部分拡大図である。
【００１９】
第１の実施の形態に係る患者案内表示盤１０の制御部１３ａは、ケース１８の側壁１８ｂ，１８ｃの外表面にヒンジ付止め具３０ａ，３０ｂが取り付けられている。このヒンジ付止め具３０ａ，３０ｂは、制御部１３ａの保守時に蓋部２１を取り除いてもコントローラ１９がケース１８から脱落しないように止めておくとともに、コントローラ１９を取り出すときには、電源スイッチ１６を切断する機能を有している。
【００２０】
ヒンジ付止め具３０ａは、コントローラ１９の右上端部を部分的に覆うことができるようにケース１８の側壁１８ｂに固定され、ヒンジ付止め具３０ｂは、コントローラ１９の左下端部を部分的に覆うことができるようにケース１８の側壁１８ｃに固定されている。なお、この実施の形態では、コントローラ１９の対角位置を押さえるように２個のヒンジ付止め具３０ａ，３０ｂを取り付けているが、２個に限定されるものではない。
【００２１】
ヒンジ付止め具３０ａ，３０ｂは、図１ないし図３に示したように、固定羽根３１ａ，３１ｂと、回転軸３２ａ，３２ｂと、可動羽根３３ａ，３３ｂと、係止片３４ａ，３４ｂとを有している。
【００２２】
固定羽根３１ａは、ケース１８の側壁１８ｂに接着剤、ねじ、スポット溶接などにより固着され、固定羽根３１ｂは、ケース１８の側壁１８ｃに接着剤、ねじ、スポット溶接などにより固着される。回転軸３２ａ，３２ｂは、固定羽根３１ａ，３１ｂおよび可動羽根３３ａ，３３ｂに形成された軸筒に側壁１８ｂ，１８ｃの立設方向に向けて挿入され、可動羽根３３ａ，３３ｂを固定羽根３１ａ，３１ｂに対して回動自在にしている。したがって、固定羽根３１ａ，３１ｂ、回転軸３２ａ，３２ｂおよび可動羽根３３ａ，３３ｂは、一般的なヒンジの構造を有していることになる。
【００２３】
ヒンジ付止め具３０ａは、さらに、可動羽根３３ａの底部１８ａのある側とは反対側（液晶表示部１１のある正面側）の辺から係止片３４ａが底部１８ａの面に平行かつ対向する側壁１８ｃの方向に延伸された構造を有している。ヒンジ付止め具３０ｂも同様に、可動羽根３３ｂの底部１８ａのある側とは反対側の辺から係止片３４ｂが底部１８ａの面に平行かつ対向する側壁１８ｂの方向に延伸された構造を有している。係止片３４ａ，３４ｂは、可動羽根３３ａ，３３ｂとそれぞれ一体に形成されている。また、係止片３４ａ，３４ｂは、可動羽根３３ａ，３３ｂが側壁１８ｂ，１８ｃに当接する位置にあるとき、図１に示したように、ケース１８内のコントローラ１９の対角位置を覆う位置にある。これにより、コントローラ１９は、その対角位置が係止片３４ａ，３４ｂによって押さえられているので、蓋部２１を取り除いたときにケース１８から脱落してしまうことがない。
【００２４】
なお、蓋部２１は、従来と異なり、側壁１８ｂ，１８ｃに形成されたねじ穴３５にねじ込まれるねじによってケース１８に固定され、コントローラ１９の固定とは別になっている。
【００２５】
制御部１３は、また、壁掛け用取付金具１２に収納しているときに下面となる側壁１８ｃの内側に電源スイッチ１６を備えている。この電源スイッチ１６は、ヒンジ付止め具３０ｂの可動羽根３３ｂの内側に設けられてコントローラ１９を固定しているときに側壁１８ｃを貫通して延びる突起部３６（図３、図４参照）によって動作される。すなわち、電源スイッチ１６は、突起部３６によって押圧されているときだけ導通するモーメンタリ式の押しボタンスイッチである。したがって、コントローラ１９は、ヒンジ付止め具３０ｂによって固定されているとき（図１および図４の状態）には、電源が投入され、ヒンジ付止め具３０ｂによる固定から解放されたとき（図２および図３の状態）には、電源が切断される。なお、突起部３６は、電源スイッチ１６の押しボタンが側壁１８ｃよりも外側に突出するように電源スイッチ１６の取付位置を変更すれば不要になる。しかし、電源スイッチ１６の押しボタンは、側壁１８ｃよりも外側に突出していると、コントローラ１９の交換時に誤って触れられてしまうことがあるため、この実施の形態では、側壁１８ｃの内側に位置するようにしている。
【００２６】
制御部１３の保守を行うときには、コントローラ１９をケース１８から取り出すためにヒンジ付止め具３０ａ，３０ｂは、それぞれ可動羽根３３ａ，３３ｂを外側に回動させることになる。このため、可動羽根３３ｂによって導通されていた電源スイッチ１６は、可動羽根３３ｂの動作に連動して切断されることになるので、電源スイッチ１６の切断動作のし忘れによる不具合を防止することができる。また、制御部１３の保守が完了したとき、蓋部２１は、その長辺に形成された折り曲げ部とともにヒンジ付止め具３０ａ，３０ｂの係止片３４ａ，３４ｂおよび可動羽根３３ａ，３３ｂの一部を覆い被さるようにして側壁１８ｂ，１８ｃにねじ止めされる。このため、制御部１３が壁掛け用取付金具１２に収納されて側壁１８ｃが下を向いた状態になっても、ヒンジ付止め具３０ｂの可動羽根３３ｂが動くことはないので、コントローラ１９の固定および電源スイッチ１６の投入状態が維持される。
【００２７】
なお、コントローラ１９に接続されるケーブル群２２としては、図３に図示の例では、電源ケーブル３７、ＬＡＮ（Local Area Network）ケーブル３８、ＵＳＢ（Universal Serial Bus）ケーブル３９、ＤＶＩ（Digital Visual Interface）ケーブル４０および音声ケーブル４１がある。また、ケース１８には、コントローラ１９の横に電源アダプタ４２が設置されており、この電源アダプタ４２は、電源ケーブル３７を介してコントローラ１９に直流電圧を供給している。
【００２８】
＜第２の実施の形態＞
図５は第２の実施の形態に係る患者案内表示盤の制御部の蓋部を除いた状態を示す斜視図、図６はヒンジ付止め具の動作状態を示す斜視図、図７は蓋部の取り外し状態を示す制御部の斜視図、図８は蓋部と電源スイッチとの関係を示す部分拡大図である。
【００２９】
第２の実施の形態に係る患者案内表示盤１０の制御部１３ｂは、ケース１８の側壁１８ｂにヒンジ付止め具３０ａが取り付けられ、側壁１８ｃにはヒンジ付止め具３０ｂが取り付けられている。ヒンジ付止め具３０ａ，３０ｂは、その可動羽根３３ａ，３３ｂが側壁１８ｂ，１８ｃに当接される位置では、図５に示したように、係止片３４ａ，３４ｂがコントローラ１９の上面対角位置を押さえることになる。一方、ヒンジ付止め具３０ａ，３０ｂは、その可動羽根３３ａ，３３ｂが側壁１８ｂ，１８ｃから離れる方向に回動されたときには、図６に示したように、係止片３４ａ，３４ｂがコントローラ１９から離され、コントローラ１９は、固定状態から解放される。これにより、コントローラ１９は、交換が可能になる。
【００３０】
この制御部１３ｂは、電源スイッチ１６を動作させる機構が第１の実施の形態の制御部１３ａと相違している。すなわち、この実施の形態では、ケース１８の側壁１８ｃを切り起こしてケース１８の底部１８ａと平行になるように曲げ加工された取付片４３に電源スイッチ１６を取り付けている。このため、電源スイッチ１６は、導通または切断状態にされるときの押しボタンのストロークの方向がケース１８の底部１８ａの面に対して垂直方向になる。一方、図７に示したように、制御部１３ｂの蓋部２１の内側には、蓋部２１をケース１８に取り付けたときの電源スイッチ１６に対応する位置に突起部３６が設けられている。
【００３１】
これにより、図８に示したように、保守を開始する前では、ケース１８に蓋部２１が取り付けられていることにより、電源スイッチ１６は、突起部３６に押下されて導通状態になっている。ここで、保守のために、蓋部２１がケース１８から取り外されると、突起部３６も一緒に電源スイッチ１６から離れるので、電源スイッチ１６は、蓋部２１の取り外しに連動して確実に切断状態になる。このため、保守時に不注意にも電源スイッチ１６を切り忘れるといったことがなくなる。そして、保守の終わりに蓋部２１をケース１８に取り付けた時点で、電源スイッチ１６が自然に導通状態になり、電源が投入されることになる。
【００３２】
なお、この実施の形態では、電源スイッチ１６は、第１の実施の形態の制御部１３ａと同様の位置に設置されているが、蓋部２１によって覆われるケース１８の中ならどこでもよい。ただし、好ましくは、コントローラ１９の交換作業の邪魔になったり交換作業時に不用意に接触してしまったりすることがないような位置に電源スイッチ１６を設置するのがよい。また、この実施の形態においても、蓋部２１が電源スイッチ１６を直接作動させる位置に電源スイッチ１６を設置することにより、突起部３６の蓋部２１への設置を省略することができる。さらに、ヒンジ付止め具３０ａ，３０ｂは、可動羽根３３ａ，３３ｂおよび係止片３４ａ，３４ｂを回動させたときに、その回動後の位置から不用意に戻ってしまうことを防ぐために、トルクヒンジの機構を有していてもよい。
【符号の説明】
【００３３】
１０  患者案内表示盤
１１  液晶表示部
１２  壁掛け用取付金具
１３，１３ａ，１３ｂ  制御部
１４  回転軸
１５  つまみねじ
１６  電源スイッチ
１８  ケース
１８ａ  底部
１８ｂ，１８ｃ  側壁
１９  コントローラ
２０  ねじ
２１  蓋部
２２  ケーブル群
３０ａ，３０ｂ  ヒンジ付止め具
３１ａ，３１ｂ  固定羽根
３２ａ，３２ｂ  回転軸
３３ａ，３３ｂ  可動羽根
３４ａ，３４ｂ  係止片
３５  ねじ穴
３６  突起部
３７  電源ケーブル
３８  ＬＡＮケーブル
３９  ＵＳＢケーブル
４０  ＤＶＩケーブル
４１  音声ケーブル
４２  電源アダプタ
４３  取付片
【図１】
2019074591.tif 000003
【図２】
2019074591.tif 000004
【図３】
2019074591.tif 000005
【図４】
2019074591.tif 000006
【図５】
2019074591.tif 000007
【図６】
2019074591.tif 000008
【図７】
2019074591.tif 000009
【図８】
2019074591.tif 000010
【図９】
2019074591.tif 000011
【図１０】
2019074591.tif 000012
【図１１】
2019074591.tif 000013
【図１２】
2019074591.tif 000014
【図１３】
2019074591.tif 000015